(57)【特許請求の範囲】
【請求項１】
フレームを有するベアリングであって、前記フレームは少なくとも部分的に、複数の球からなる２つの基板を取り囲み、それぞれの基板は前記球を単一の平面または少なくとも部分的な球面内で回転可能に設け、一方の基板の平面は他方の基板の平面に対して平行であり、一方の基板の球は、一方の基板の球が他方の基板の球の回転とは逆の回転となるように、他方の基板の球を支持するべく近接して設けられているベアリングにおいて、
一方の基板の球は前記フレームの一方の面から突出し、他方の基板の球は前記フレームの逆の面から突出するように設けられ、各基板の球は、回転中に、前記フレームに対する相対的位置を同じに維持するように拘束されていることを特徴とするベアリング。
【請求項２】
前記球は直径が１５ｍｍ〜２５ｍｍである請求項１記載のベアリング。
【請求項３】
着脱可能に連結される膨らまし式プラットフォーム（２２）をさらに有する請求項１または２記載のベアリング。
【請求項４】
前記膨らまし式プラットフォームの両側に、利用可能で当該プラットフォームを運搬するための着脱可能なポール（２６）が設けられている請求項３記載のベアリング。
【請求項５】
前記球は直径が２．５ｍｍ〜７．５ｍｍである請求項１記載のベアリング。
【請求項６】
前記球はそれぞれの基板内に織り込まれている(図５，図６)請求項１〜５の何れかに記載のベアリング。
【請求項７】
前記基板は１またはそれ以上の面内で湾曲している請求項１記載のベアリング。
【発明の詳細な説明】
【技術分野】
【０００１】
本発明はリニアベアリングに関する。
【背景技術】
【０００２】
【発明の開示】
本発明に係るリニアベアリングは、フレームを有するベアリングであって、前記フレームは少なくとも部分的に、複数の球からなる２つの基板を取り囲み、平坦なときにそれぞれの基板は前記球を実質的に単一の平面または少なくとも部分的な球面内で回転可能に設け、一方の基板の平面は他方の基板の平面に対して平行であり、一方の基板の球は、一方の基板の球が他方の基板の球の回転とは逆の回転となるように、少なくとも殆どが他方の基板の球に対して設けられているベアリングにおいて、一方の基板の球は前記フレームの一方の面から突出し、他方の基板の球は前記フレームの逆の面から突出するように設けられ、各基板の球は、回転中に、前記フレームに対する相対的位置を同じに維持するように拘束されていることを特徴とする。
【０００３】
本発明に係るリニアベアリングは、フレームを有するベアリングであって、前記フレームは少なくとも部分的に、複数の球からなる２つの基板を取り囲み、平坦なときにそれぞれの基板は前記球を実質的に単一の平面または少なくとも部分的な球面内で回転可能に設け、一方の基板の平面は他方の基板の平面に対して平行であり、一方の基板の球は、一方の基板の球が他方の基板の球の回転とは逆の回転となるように、少なくとも殆どが他方の基板の球に対して設けられている。
【０００４】
球の並列によりベアリングを地面に横たわった事故後の患者の下に押し込み又は引き出すことができ、下部基板球の下面が地面に作用するとともに上部基板球の上面が患者に作用する。下部球の一方向の回転により上部球は逆方向に回転することになる。その結果、患者の下でベアリングが動作しても患者には少しの動作又は全く動作が伝わらない。
【０００５】
ベアリングの代替使用として、ベッド上の患者の下にスライドされ、シーツを交換するために患者は持ち上げられる。また、ベアリングは床ずれを起こした患者の下にスライドされ、あちこちに動かされて患者をマッサージする。これは患者が動けないときに特に効果的である。
【０００６】
基板は、互いに離間した各基板の球を保持するために構成されるが、下部基板の球は上部基板の球を支持するべく充分に近接する。球は好ましくは、孔が基板内の正確な幾何学的な位置に各球を配置するように、球の直径よりも小さい直径の孔を有するシート状部材により、各基板に保持されるように構成される。好ましくは、一対の基板の周囲は、球を保持する材料が固定されるフレームにより制限される。このフレームは、運搬のためにベアリングが握られたり引っ掛けられたりする輪または留め棒を有することが好ましい。
【０００７】
本発明に係るベアリングの一実施形態として、膨らまし式の第２のベアリングに対するアタッチメントを有する。この第２のベアリングは、好ましくは担架として運搬可能な着脱自在のポールを有する。
【０００８】
本発明に係るベアリングのさらなる実施形態として、それ自体が担架として運搬可能なための適当な手段、たとえばベアリング上に患者を保持するために設けられる紐を有する。
【０００９】
本発明は、互いに相対的に動くことが必要とされる２つの物体の間の摩擦力を減少させるといった優れた解決法を提供するので、互いに動かさなければならない物体が相対的に二次元または三次元に動くことができるといった、直線または必然的に直線であるものを含む曲線の両方に本発明を適用することができる。たとえば、干満のある水において船は波止場に係留され、タラップは波止場から船へ乗降するために設けられる。このような場合、船は波止場または波止場に沿った領域に対して相対的に上下移動し、波止場に対して少し近づいたり遠ざかったりする。このような場合、非船側または波止場側の端部が鉛直方向及び水平方向の両方に移動可能であるときに、船側の端部が鉛直方向に動くとともに若干鉛直方向に回転できるようにタラップを船に安全に固定することはきわめて便利である。しかしながら、このような動作は船側の道具を必要とするし、タラップのスタッフも監視する必要がある。同様の問題が台船に乗降する際にも生じる。
【００１０】
他の例として、沖合いのオイル製造プラットフォームはブリッジにより適応したプラットフォームに接続される。その状態において、プラットフォームと少なくともブリッジが要求される高さとの間に相対的な移動がある。したがって、こうした相対的な移動を許容することが重要となる。換言すれば、ブリッジは相対的力に対抗しない。
【００１１】
【発明を実施するための最良の形態】
本発明の実施形態を、添付した図面を参照して以下に説明する。
図１は本発明の第１実施形態に係るリニアベアリングを示す部分斜視図、図２は図１に示すリニアベアリングのＡ−Ａ線に沿う縦断面図、図３は図１に示すリニアベアリングの部分平面図、図４は膨らまし式担架に装着した図１のリニアベアリングを示す斜視図、図５は球を上部基板及び下部基板に貫通させた本発明の第２実施形態に係るリニアベアリングを示す平面図、図６は本発明の第２実施形態に係る、基板内に設けられた球を示す平面図、図７はプラットフォームとして構成された本発明に係るリニアベアリングであって図８のＹ−Ｙ線に沿う断面図、図８は図７に示すさらに他の実施形態の平面図である。
【００１２】
さらに他の例として、大きな構造物の間の熱膨張であり、これを解消しないと構造物の間に許容できないストレスが生じ、結局のところ一方または両方の構造物が劣化する。
【発明を実施するための最良の形態】
【００１３】
本発明の実施形態を、添付した図面を参照して以下に説明する。
図１は本発明の第１実施形態に係るリニアベアリングを示す部分斜視図、図２は図１に示すリニアベアリングのＡ−Ａ線に沿う縦断面図、図３は図１に示すリニアベアリングの部分平面図、図４は膨らまし式担架に装着した図１のリニアベアリングを示す斜視図、図５は球を上部基板及び下部基板に貫通させた本発明の第２実施形態に係るリニアベアリングを示す平面図、図６は本発明の第２実施形態に係る、基板内に設けられた球を示す平面図、図７はプラットフォームとして構成された本発明に係るリニアベアリングであって図８のＹ−Ｙ線に沿う断面図、図８は図７に示すさらに他の実施形態の平面図、図９は図８のプラットフォームの分解組立図、図１０は本発明の他の実施形態に係る球状のリニアベアリングと直線的なベアリングを示す図、図１１は本発明の代替的実施形態に係る弾力のあるリニアベアリングを示す側面図、図１２は本発明のさらに他の実施形態に係る回転可能な、または直線移動可能なベアリングを示す図である。
【００１４】
図１のマットの形とされたベアリングは、柔軟性のあるプラスチック材料から構成されたフレーム２を有し、このフレームは面取り端部４を有するとともに上部貫通シート６及び下部貫通シート８を支持する。上部貫通シート６は複数の球１０を配置し、これらは第１基板１２を構成する。下部貫通シート８は第２基板１６を構成する球１４の列を配置する。第１基板の上部列の球は第２基板の下部球上に、上部球それぞれの殆どが４つの下部球によって保持されるように設置されている。
【００１５】
シート６の貫通孔１８に置かれた上部球１０は自由に回転することができる。同様に、下部シート８の貫通孔２０により、球１４は自由に回転することができる。上部球が下部球の上に載置されているので、下部球が回転すると上部球は逆方向に回転することになる。このように、地面に置いたときのベアリング１の動きは、いつも上部球をベアリングの方向に対して反対側へ動かすことになる。
【００１６】
上部球１０，１４は好ましくは硬いプラスチック材料から構成され、直径が約２０ｍｍで、シート６，８が球を適切な位置に維持すべく充分に強固なことが要求されているときは実質的に硬いが、同時にベアリングが平らでない表面を動くことができるようにある程度の柔軟性を有する。
【００１７】
図４に示すように、ベアリング１は膨らまし式プラットフォームに着脱可能に装着され、このプラットフォームはノズル２４を介して膨張したときにのみ強固となって当該プラットフォームの両側に設けられたスリーブ２８に挿入されたハンドル２６を把持することで搬送される。プラットフォーム２２に対するベアリングのアタッチメントは種々の適当な手段により構成され、ボタン、フック及びベルクロ（登録商標）のような環状材により構成することができる。
【００１８】
事故現場から患者を動かすために、ベアリング１の面取り端部４を患者の足の先端に当該患者に向かって載置される。そして、ロッド２６のフック３０の端部を輪３２に引っ掛ける。プラットフォーム２２はアタッチメント３４の部分でベアリングに連結され、そしてベアリングは救助員により患者の下にＺ方向に引っ張られる。ベアリングの上部球１０は地面上での移動にともなって、ベアリングの移動Ｚとは逆のＸ方向に回転するので、確かに鉛直方向には多少の上下移動はあるものの、患者は水平方向に対して地面上を相対的に移動することがない。プラットフォーム２２は、患者がベアリング上またはベアリングを超えて移動できるように適切に滑らかな材料により構成され、患者は徐々にプラットフォーム２２に向かって動くことになる。そして、ポール２６がスリーブ２８に挿入され、ベアリングがプラットフォームから外されたのち、患者は担架で運ばれる。もし患者が動くことができるなら、ベアリングによるこの動作で助けることができる患者に対しては、患者の下に球を位置せしめるとマッサージ機能を司ることになる。これに代えて、プラットフォーム２２のないベアリングは、たとえばベッドの半分または４分の１を覆う大きさにしてベッドの上に載置することができ、患者を担架からベッドへ移動するのに用いたり、シーツを交換するために患者をベッドから下ろすために患者の下に引っ張ったりする。この目的のために、球５０（図５及び図６参照）は直径が５ｍｍ以下である。本実施形態に係るベアリングは球に捨て糸５２を通し、糸が通された球を基板状に織り、次いで織られた基板の織り方５４により球が回転可能に支持されるように捨て糸を除去することで形成される。
【００２３】
図１１は、本発明の他の実施形態であって縦横方向に少量の移動が要求される鉛直方向の構造体１１２のブリッジデッキ１１０を支持する形態を示す。図示するベアリングは上部部材１１４を有し、下部部材１１８のエラストマー接合部１１６を介して設置されている。下部部材は球１２１の第１基板１２０を有し、球１２１の離間した基板１２２の上に設置されて、これら基板１２０，１２２は囲い１２４によって動きが規制されている。また上部部材１１４は囲い１２６により対応するデッキ１１０に設置される。下部の囲い１２４と囲いの高さは予想される構造体１１０，１１２の間の相対的な動作により設計される。この構造は、鉛直方向の動きの原因となるエラストマージョイント１１６のストレスを減少させる。
【００２４】
図１２は考え方の断面図による構成を示し、円形または直線の何れの動作に対しても適用できる。また、この構成は一つの実施形態において円形及び直線の何れの動作に対しても適用できる。路線１３２を有する、１３０で示す路線構造は必要に応じて下部路線基盤プレート１３４に形成される場合に、この構造は困難な技術的課題のために意図されている。脚部１３６はフットプレート１３８を有し、このフットプレートは四角または円形に構成され、２つの基板フレーム１４０の上に設置され、各基板は球１４２を有する。
【図面の簡単な説明】
【００２５】
【図１】本発明の第１実施形態に係るリニアベアリングを示す部分斜視図である。
【図２】図１に示すリニアベアリングのＡ−Ａ線に沿う縦断面図である。
【図３】図１に示すリニアベアリングの部分平面図である。
【図４】膨らまし式担架に装着した図１のリニアベアリングを示す斜視図である。
【図５】球を上部基板及び下部基板に貫通させた本発明の第２実施形態に係るリニアベアリングを示す平面図である。
【図６】本発明の第２実施形態に係る、基板内に設けられた球を示す平面図である。
【図７】プラットフォームとして構成された本発明に係るリニアベアリングであって図８のＹ−Ｙ線に沿う断面図である。
【図８】図７に示すさらに他の実施形態の平面図である。
【図９】図８のプラットフォームの分解組立図である。
【図１０】本発明の他の実施形態に係る球状のリニアベアリングと直線的なベアリングを示す図である。
【図１１】本発明の代替的実施形態に係る弾力のあるリニアベアリングを示す側面図である。
【図１２】本発明のさらに他の実施形態に係る回転可能な、または直線移動可能なベアリングを示す図である。
【図１】
0004387308.tif 000002
【図２】
0004387308.tif 000003
【図３】
0004387308.tif 000004
【図４】
0004387308.tif 000005
【図５】
0004387308.tif 000006
【図６】
0004387308.tif 000007
【図７】
0004387308.tif 000008
【図８】
0004387308.tif 000009
【図９】
0004387308.tif 000010
【図１０】
0004387308.tif 000011
【図１１】
0004387308.tif 000012
【図１２】
0004387308.tif 000013